(57)【要約】【課題】電界および磁界に対する耐ノイズ性と防塵防滴性とを兼ね備えたエンコーダカバーを実現する。【解決手段】エンコーダカバー１００は、エンコーダ３０を収容するためのエンコーダ収容部２０と、回転機器４０のケーシング４１と接合するためのフランジ部１０と、を備える。エンコーダ収容部２０に磁気シールド部材を配設するともに、フランジ部１０に導電性を有するダイカスト合金を配設する。【選択図】図３
2015001511.tif 000002
【特許請求の範囲】
【請求項１】
回転機器の回転位置や回転数を検出するエンコーダを覆うエンコーダカバーであって、
前記エンコーダを収容するためのエンコーダ収容部と、
前記回転機器のケーシングと接合するためのフランジ部と、
を備え、
前記エンコーダ収容部に磁気シールド部材を配設するともに、
前記フランジ部に導電性を有するダイカスト合金を配設したことを特徴とするエンコーダカバー。
【請求項２】
前記エンコーダ収容部および前記フランジ部が導電性を有するダイカスト合金で形成され、前記エンコーダ収容部に前記磁気シールド部材が内設されていることを特徴とする請求項１に記載のエンコーダカバー。
【請求項３】
前記磁気シールド部材が高透磁率鉄系材料で形成されていることを特徴とする請求項１または請求項２に記載のエンコーダカバー。
【請求項４】
シールドケーブルを挿通支持するためのブッシュの嵌合部に、前記導電性を有するダイカスト合金が配設されていることを特徴とする請求項１から３のいずれか１項に記載のエンコーダカバー。
【請求項５】
前記シールドケーブルのシールド線が前記導電性を有するダイカスト合金に接続されていることを特徴とする請求項１から４のいずれか１項に記載のエンコーダカバー。
【発明の詳細な説明】
【技術分野】
【０００１】
本発明は、エンコーダを収容するエンコーダカバーに関する。
【背景技術】
【０００２】
エンコーダは、サーボモータ等の回転機器の回転位置（回転角度）や回転数を検出する装置である。エンコーダは検出方式により、光の強弱を検出する光学式エンコーダ、磁気変位を検出する磁気式エンコーダ等に分けられる。
【０００３】
エンコーダの性能は、回転機器の制御性能を左右する。磁気式エンコーダは、磁気変位を検出するため、外部磁界の影響を受けて誤動作する場合がある。そこで、磁気式エンコーダのカバーには、外部磁界を磁気シールドするために、鉄製絞りカバーや、樹脂カバーに鉄製カップを一体成型したものが採用されている。
【０００４】
また、電界によるノイズをフレームグランド（ＦＧ）に逃がすために、カバーに導電性が求められる場合がある。そこで、耐ノイズ性のエンコーダカバーには、鉄製やアルミダイカスト製等の導電性を有するカバーが採用される。
【０００５】
磁気式エンコーダの磁気シールドに関する技術として、磁気式エンコーダの構成要素であるポールマグネットが取り付けられているバックヨークを、モータ本体の側で発生した磁気ノイズが当該磁気式エンコーダの磁気センサに侵入することを防止するための磁気シールド板として用いた、磁気式エンコーダ付きモータが開示されている（たとえば、特許文献１参照）。
【先行技術文献】
【特許文献】
【０００６】
【特許文献１】特開平９−３０８１７１号公報
【発明の概要】
【発明が解決しようとする課題】
【０００７】
ところで、鉄製絞りカバーは加工性が悪く、形状精度が低い。したがって、鉄製絞りカバーは、モータケーシングとの接合部やケーブルブッシュとの嵌合部に隙間が生じ、防塵防滴性に難がある。また、その隙間を埋めるためには、接着剤等を使用して封止処理を施さなければならない。
【０００８】
樹脂カバーは、複雑な形状に対応できるものの、導電性を有しないため、シールド線をカバー以外の導電部からフレームグランド（ＦＧ）に接続する必要がある。
【０００９】
アルミダイカストや亜鉛ダイカスト製のカバーは、導電性を有するが、透磁率が低いので磁気シールド性に劣る。
【００１０】
本発明は、上記の事情に鑑みて成されたものであり、電界および磁界に対する耐ノイズ性と防塵防滴性とを兼ね備えたエンコーダカバーの提供を目的とする。
【課題を解決するための手段】
【００１１】
上記目的を達成するためのエンコーダカバーは、回転機器の回転位置や回転数を検出するエンコーダを覆う。
【００１２】
エンコーダカバーは、上記エンコーダを収容するためのエンコーダ収容部と、上記回転機器のケーシングと接合するためのフランジ部と、を備える。
【００１３】
上記エンコーダ収容部に磁気シールド部材を配設するともに、上記フランジ部に導電性を有するダイカスト合金を配設したことを特徴とする。
【発明の効果】
【００１４】
本発明に係るエンコーダカバーのエンコーダ収容部には、磁気シールド部材が配設されている。磁気シールド部材は、外部磁界をシールドして磁気エンコーダが誤作動するのを防止する。
【００１５】
一方、フランジ部は、ダイカスト合金が配設されている。ダイカスト合金は加工精度に優れているので、回転機器のケーシングとの接合性が良い。
【００１６】
また、上記ダイカスト合金は導電性を有しているので、当該ダイカスト合金にシールドケーブルを接続すれば、電界によるノイズをＦＧに逃がすことができる。
【００１７】
したがって、本発明によれば、電界および磁界に対する耐ノイズ性と防塵防滴性とを兼ね備えたエンコーダカバーを実現することができる。
【図面の簡単な説明】
【００１８】
【図１】本実施形態に係るエンコーダカバーの斜視図である。
【図２】本実施形態に係るエンコーダカバーの平面図である。
【図３】図２のＡ−Ａ線断面図である。
【図４】本実施形態に係るエンコーダカバーの正面図である。
【発明を実施するための形態】
【００１９】
以下、図面を参照して、本実施形態に係るエンコーダカバーについて説明する。
【００２０】
本実施形態に係るエンコーダカバーは、エンコーダ収容部に磁気シールド部材を配設するともに、フランジ部に導電性を有するダイカスト合金を配設しているので、電界および磁界に対する耐ノイズ性と防塵防滴性とを兼ね備える。
【００２１】
〔エンコーダカバーの構成〕
まず図１から図４を参照して、本実施形態に係るエンコーダカバーの構成について説明する。図１は本実施形態に係るエンコーダカバーの斜視図である。図２は本実施形態に係るエンコーダカバーの平面図である。図３は図２のＡ−Ａ線断面図である。図４は本実施形態に係るエンコーダカバーの正面図である。
【００２２】
図１から図４に示すように、本実施形態に係るエンコーダカバー１００は、ハット形状を呈しており、フランジ部１０とエンコーダ収容部２０とを備える。
【００２３】
フランジ部１０は、サーボモータ等の回転機器４０のケーシング（ブラケット）４１と接合される部位である。フランジ部１０は、ケーシング４１の端面に、ガスケット５１を介して、ボルト５２で固定される。
【００２４】
フランジ部１０は、導電性を有し、寸法精度に優れた金属材料により形成されている。フランジ部１０の構成材料としては、たとえば、アルミダイカスト、亜鉛ダイカストなどのダイカスト（Ｄｉｅ  Ｃａｓｔｉｎｇ）合金が挙げられる。ダイカスト合金を採用することにより、各部の仕上げ加工が容易となる。
【００２５】
ケーシング４１の端面と当接するフランジ部１０の接触面１１は、防塵防滴性をもたせるべく、精度良く仕上げられている。フランジ部１０の接触面１１の仕上げ精度が良いので、ガスケットやＯリング等の簡易な手段で、防塵防滴性を付与することができる。
【００２６】
エンコーダ収容部２０は、エンコーダ３０を収容するための部位である。本実施形態のエンコーダ収容部２０は、金型内でフランジ部１０と一体成形される。したがって、エンコーダ収容部２０は、フランジ部１０と共材の導電性を有するダイカスト合金によって形成される。なお、エンコーダ３０は磁気式エンコーダまたは光学式エンコーダと磁気式エンコーダとを併せ持つエンコーダである。
【００２７】
本実施形態では、エンコーダ収容部２０に、ダイカスト合金とは別構成部材の磁気シールド部材２１が内設される。磁気シールド部材２１は、円筒体の一端を閉塞したようなカップ形状を呈している。磁気シールド部材２１内に、エンコーダ３０が収容される。
【００２８】
エンコーダ３０は、モータ４０のロータ４２に取り付けられる回転軸４３に軸支される。
【００２９】
磁気シールド部材２１は、たとえば、冷間圧延鋼板などの鉄材やニッケル−鉄系高透磁率合金（パーマロイ）等の高透磁率鉄系材料で構成される。
【００３０】
電界によるノイズをフレームグランド（ＦＧ）へ逃すためのシールドケーブル６０は、ブッシュ６１に挿通されて支持される。ブッシュ６１は、エンコーダ収容部２０に嵌合され、ボルト６３（図２、図４参照）で固定される。
【００３１】
すなわち、ブッシュ６１の嵌合部６２（図３参照）には、導電性を有するダイカスト合金が配設されている。また、シールドケーブル６０のシールド線は、導電性を有するダイカスト合金に接続される。
【００３２】
〔エンコーダカバーの作用〕
再び図１から図４を参照して、本実施形態に係るエンコーダカバー１００の作用について説明する。
【００３３】
本実施形態に係るエンコーダカバー１００は、エンコーダ３０を収容するためのエンコーダ収容部２０と、サーボモータ等の回転機器４０のケーシング４１と接合するためのフランジ部１０と、を備える。
【００３４】
エンコーダ収容部２０には、カップ状の磁気シールド部材２１が内設されている。磁気シールド部材２１は、たとえば、冷間圧延鋼板などの鉄材やパーマロイ等の高透磁率鉄系材料で形成される。したがって、磁気シールド部材２１は、外部磁界をシールドして、エンコーダ３０の誤作動を防止する。
【００３５】
フランジ部１０およびエンコーダ収容部２０は、ダイカスト合金で形成されている。フランジ部１０を加工精度に優れたダイカスト合金で構成することにより、回転機器４０のケーシング４１との接合性が良くなる。したがって、接着剤やシール処理等を施さなくとも、ガスケット５１やＯリングを用いた簡単なシール構造により、防塵防滴性を確保することができる。
【００３６】
また、本実施形態のダイカスト合金は導電性を有しているので、シールドケーブル６０を当該ダイカスト合金に接続することにより、電界によるノイズをＦＧに逃がすことができる。
【００３７】
シールドケーブル６０は、ブッシュ６１に挿通されて支持される。当該ブッシュ６１の嵌合部６２には、導電性を有するダイカスト合金が配設されている。したがって、シールドケーブル６０の出口部についても、簡単な構造で防塵防滴性を確保することができる。
【００３８】
このため、本実施形態によれば、電界および磁界に対する耐ノイズ性と防塵防滴性とを兼ね備えたエンコーダカバー１００を実現することができる。
【００３９】
以上、本発明の好適な実施形態を説明したが、これらは本発明の説明のための例示であり、本発明の範囲をこれらの実施形態にのみ限定する趣旨ではない。本発明は、その要旨を逸脱しない範囲で、上記実施形態とは異なる種々の態様で実施することができる。
【００４０】
たとえば、上記実施形態では、エンコーダカバー１００のエンコーダ収容部２０に磁気シールド部材２１を内設したが、これに限定されず、エンコーダ収容部２０自体を高透磁率鉄系材料で形成してもよい。
【符号の説明】
【００４１】
１０    フランジ部、
２０    エンコーダ収容部、
２１    磁気シールド部材、
３０    エンコーダ、
４０    回転機器、
４１    ケーシング、
６０    シールドケーブル、
６１    ブッシュ、
６２    嵌合部、
１００    エンコーダカバー。
【図１】
2015001511.tif 000003
【図２】
2015001511.tif 000004
【図３】
2015001511.tif 000005
【図４】
2015001511.tif 000006